(57)【要約】      （修正有）【課題】集塵箱を空にする必要があることを使用者に知らせる自動掃除機の集塵感知装置を提供する。【解決手段】集塵感知装置は、本体と、集塵箱と、検知アセンブリと、警告表示部とを備える。本体内部に、一方側に溝を有する載置室が設けられる。集塵箱は、載置室内部に取り付けられ、溝を貫通して延在する延在吸引パイプを有する。検知アセンブリは、溝の相対する壁面に別々に取りつけられ、延在吸引パイプの底部に対応する信号送信要素と信号受信要素を備える。警告表示部は、本体に取り付けられ、信号受信要素に電気的に接続する。【選択図】図２
0003163413.tif 000002
【実用新案登録請求の範囲】
【請求項１】
自律移動ロボットの制御論理信号に伴って作動する塵埃吸引掃除機の本体であって、当該本体の外側に接続する溝が一方側に設けられるとともに、当該本体内部において抽気装置が取り付けられた抽気室と連通する、載置室が設けられた本体と、
前記載置室内に配置されて収容空間を形成する収容体たる集塵箱であって、当該収容空間内で当該集塵箱に設けられた前記抽気室の開口に対し抽出ポートが対応するとともに、延在吸引パイプが、前記本体の前記溝に対応して当該集塵箱の内部空間と連通しつつその一端部が前記溝を貫通して延在するように一方側に設けられた、集塵箱と、
前記溝の相対する双方の壁面に別々に取り付けられるとともに、前記延在吸引パイプの底部の双方側に設けられた、信号送信要素と信号受信要素とを相関するように有する検知アセンブリであって、前記信号送信要素と前記信号受信要素とが特定の光源によって検知信号を伝送することが可能な電子部品たる検知アセンブリと、
前記本体に取り付けられるとともに、前記検知アセンブリの前記信号受信要素と電気的に接続され、電気的な論理信号を設定することによって、前記信号送信要素と前記信号受信要素との間の前記検知信号が中断された場合に、警告を発する警告表示部と、
を備えたことを特徴とする自動掃除機の集塵感知装置。
【請求項２】
前記警告表示部は、前記警告を伝送するために光源を利用し、前記本体のケース外面に取り付けられることを特徴とする、請求項１に記載の自動掃除機の集塵感知装置。
【請求項３】
前記警告表示部がフラッシュＬＥＤランプであることを特徴とする、請求項２に記載の自動掃除機の集塵感知装置。
【請求項４】
前記警告表示部は、前記警告を伝えるために音響スピーカを利用し、前記本体の内部または前記本体の前記ケース外面に取り付けられることを特徴とする、請求項１に記載の自動掃除機の集塵感知装置。
【請求項５】
前記警告表示部がブザーであることを特徴とする、請求項４に記載の自動掃除機の集塵感知装置。
【考案の詳細な説明】
【技術分野】
【０００１】
本考案は、自動掃除機の集塵感知装置に関し、より具体的には、自動掃除機の集塵箱が溢れた場合に警告を発する装置に関する。
【背景技術】
【０００２】
自動掃除機によって室内を吸引して掃除する技術は、よく知られている。自動掃除機の理論は、人間が操作を行うことなく、塵埃吸引機能を有する掃除機に自律ロボットの制御論理を適用して床を自動的に掃除させようというものである。
【０００３】
既存の技術における自動掃除機の基本構成は、一般的な吸引式掃除機と同じであり、掃除機内には掃除中に捕集された塵埃および屑を収容するように集塵箱が設けられている。しかし、集塵箱が自動掃除機の内部に設けられていることから、集塵箱に捕集された塵埃および屑の量を適宜肉眼で見て直接判断することができない。自動掃除機を適正に機能させるためには、自動掃除機の一部を取り外すなどして、集塵箱内に捕集された塵埃および屑の量を時折確認しなければならない。しかし、このように集塵箱を定期的に確認する作業は、極めて煩わしいものである。不注意や多忙によって集塵箱を確認し忘れた場合には、自動掃除機の吸引性能が低下するため、掃除に要する時間が長くなり、電力を無駄に消費することになる。
【考案の概要】
【考案が解決しようとする課題】
【０００４】
本考案は、上記した欠点を解消するための、自動掃除機の改良型集塵感知装置を提供することを目的とする。
【課題を解決するための手段】
【０００５】
上記目的を達成するために、本考案は、
自律移動ロボットの制御論理信号を伴う塵埃吸引掃除機たる本体であって、当該本体の外側に接続する溝が一方側に設けられるとともに、当該本体内部において抽気装置が取り付けられた抽気室と連通する、載置室が設けられた本体と、
前記載置室内に配置されて収容空間を形成する収容体たる集塵箱であって、当該収容空間内で当該集塵箱に設けられた前記抽気室の開口に対し抽出ポートが対応するとともに、延在吸引パイプが、前記本体の前記溝に対応して当該集塵箱の内部空間と連通しつつその一端部が前記溝を貫通して延在するように一方側に設けられた、集塵箱と、
前記溝の相対する双方の壁面に別々に取り付けられるとともに、前記延在吸引パイプの底部の双方側に設けられた、信号送信要素および信号受信要素を相関するように有する検知アセンブリであって、前記信号送信要素および前記信号受信要素が特定の光源によって検知信号を伝送することが可能な電子部品たる検知アセンブリと、
前記本体に取り付けられるとともに、前記検知アセンブリの前記信号受信要素に電気的に接続され、電気的な論理信号を設定することによって、前記信号送信要素と前記信号受信要素との間の前記検知信号が中断された場合に、警告を伝送する警告表示部と、
を備えたことを特徴とする自動掃除機の集塵感知装置を提供する。
【０００６】
本考案によれば、検知アセンブリが、延在吸引パイプの底部に対応する位置において溝の相対する双方の壁面に取り付けられる。したがって、集塵箱の内部空間が塵埃でほぼ一杯となると、詰まった塵埃が延在吸引パイプ中に留まって集塵箱の内部空間に入ることができなくなる。その結果、詰まった塵埃によって信号送信要素と信号受信要素との間の光伝送が遮られると、警告表示部が作動して警告を伝送し、自動掃除機の吸引性能が低下するのを回避するために集塵箱を空にするよう、使用者に知らせる。
【図面の簡単な説明】
【０００７】
【図１】本考案の斜視図である。
【図２】本考案の分解図である。
【図３】本考案の断面図である。
【考案を実施するための形態】
【０００８】
本考案の特徴、主題、および利点、ならびにその効果が理解されるように、添付の図面、および実施形態の詳細な説明について以下で説明する。本考案で参照する図面は、本明細書の理解を助けるものであるが、単なる例示にすぎない。添付の図面は、必ずしも実際と同じ比率では描かれておらず、また、配置構成も必ずしも正確ではない。本考案の請求項に係る実施形態は、図面の比率および配置構成によって限定されるものではない。
【０００９】
図１から図３を参照すると、本考案に係る自動掃除機の集塵感知装置の好ましい実施形態は、本体（１０）、集塵箱（２０）、検知アセンブリ（３０）、および警告表示部（４０）を含む。
【００１０】
本体（１０）は、自律移動ロボットの制御論理で作動する塵埃吸引型掃除機であり、載置室（１１）が形成されている。載置室（１１）の一方側には本体（１０）の外側の対応する床面に接続する溝（１２）が、設けられている。載置室（１１）は、本体（１０）内部の抽気室（１３）に接続している。本考案では吸引力源である抽気装置を、抽気室（１３）内に取り付けることができる。
【００１１】
集塵箱（２０）は、収容空間を形成する収容体であり、対応した形状の載置室（１１）内に取り付けられている。抽気室（１３）の開口に対応した抽出ポート（２１）が、抽気装置の作動後に抽出および吸引を行うために、集塵箱（２０）に設けられている。集塵箱（２０）の一方側には延在吸引パイプ（２２）が設けられている。この吸引パイプ（２２）は、集塵箱（２０）の内部空間と連通しており、対応した形状の本体（１０）の溝（１２）内に取り付けられるとともに、床面から吸引を行うためにその一端部が溝（１２）を貫通して延在している。吸引された塵埃および屑を隔離しておけるように、抽出ポート（２１）と吸引パイプ（２２）との間にはフィルタスクリーン（２３）がさらに取り付けられている。
【００１２】
検知アセンブリ（３０）は、相互に対応した信号送信要素（３１）と信号受信要素（３２）とを有する。信号送信要素（３１）および信号受信要素（３２）は、溝（１２）の相対する双方の壁面に別々に取り付けられるとともに、吸引パイプ（２２）底部の双方側のそれぞれに配置されている。検知アセンブリ（３０）の信号送信要素（３１）と信号受信要素（３２）とは、検知信号を得るために特定の光源を使用した電子部品である。
【００１３】
警告表示部（４０）は、本体（１０）に取り付けられ、検知アセンブリ（３０）の信号受信要素（３２）と電気的に接続されている。警告表示部（４０）は、電気的な論理信号を設定することによって、信号送信要素（３１）と信号受信要素（３２）との間の検知信号が中断された場合に、警告を伝送して使用者に知らせることができる。警告表示部（４０）は、光源または音響スピーカなどの公知の警告を伝送する様々な警報を利用することができる。光源（例えば、フラッシュＬＥＤランプ）を利用して警告を伝送する場合は、使用者が肉眼で見えるように、警告表示部（４０）を本体（１０）ケースの外面に取り付ける必要がある。音響スピーカ（例えばブザー）を警告として使用する実施形態では、上記の構造に限定されず、警告表示部（４０）を本体（１０）の内部空間に取り付けてもよく、または本体（１０）の外面に取り付けてもよい。本考案の一実施形態を示す図面では、フラッシュランプを使用している。
【００１４】
本考案の特徴は、検知アセンブリ（３０）を、溝（１２）の相対する双方の壁面に設けるとともに、吸引パイプ（２２）の底部と対応させていることである。集塵箱（２０）の内部空間が塵埃でほぼ一杯になると、詰まった塵埃が吸引パイプ（２２）中に留まって集塵箱（２０）の内部空間に入ることができなくなり、その結果、詰まった塵埃によって、信号送信要素（３１）と信号受信要素（３２）との間の光伝送が遮られることになる。そうなった場合、警告表示部（４０）が作動して警告を伝送することにより、自動掃除機の吸引力が低下するのを回避するために集塵箱（２０）を空にする必要があることを使用者に知らせる。
【００１５】
上記の説明から理解されるように、本考案によって所望の効果が得られるが、当業者であっても本考案を容易に想起することはできない。さらに、本考案は出願前には公知となっておらず、本考案の進歩性および産業上の利用可能性は、実用新案登録の要件に適合する。
【００１６】
上記の実施形態の詳細な説明は、本考案の技術概念と特徴を記載したものにすぎない。上記実施形態の詳細な説明の目的は、当業者が本考案の主題を理解し、実施できるようにすることであり、本考案の実用新案登録請求の範囲を限定するものではない。本考案の趣旨に従って行われるいかなる変形形態または改変形態も、添付の実用新案登録請求の範囲に含まれるべきである。
【符号の説明】
【００１７】
１０  本体
１１  載置室
１２  溝
１３  抽気室
２０  集塵箱
２１  抽出ポート
２２  吸引パイプ
２３  フィルタスクリーン
３０  検知アセンブリ
３１  信号送信要素
３２  信号受信要素
４０  警告表示部
【図１】
0003163413.tif 000003
【図２】
0003163413.tif 000004
【図３】
0003163413.tif 000005